(57)【特許請求の範囲】
【請求項１】
レーザダイオードの発光量をモニタし、モニタ値が指定値となるよう前記レーザダイオードを発光し、光ディスクへの情報の記録再生を行わせる情報記録再生装置のレーザダイオード駆動装置であって、
仮の基準値で前記レーザダイオードを発光して前記光ディスク面での合焦制御を行い、一定値となる発光出力でテスト情報を記録する第１のテスト情報書込み制御手段と、
前記第１のテスト情報書込み制御手段によりテスト情報を記録した後、前記レーザダイオードの発光出力を記録時の目標出力値を中心として段階的に変化させてテスト情報を記録する第２のテスト情報書込み制御手段を有し、
前記第２のテスト情報書込み制御手段により記録された情報を読出して記録時の最適レーザダイオードの発光出力を決定することを特徴とするレーザダイオード駆動装置。
【請求項２】
前記光ディスクは複数のパーティションに区切られたテストエリアを有し、テスト済パーティション領域をｎ（ｎは整数）として、次の未使用パーティション領域ｎ＋１、ｎ＋２、・・・とするときに、
前記テストエリアの未使用領域ｎ＋１で第１のテスト情報書込み制御を実行した後、前記テストエリアの未使用領域ｎ＋２で第２のテスト情報書込み制御を実行し、
前記第２のテスト情報書込み制御手段により記録された情報を読出して記録時の最適レーザダイオードの発光出力を決定することを特徴とする請求項１記載のレーザダイオード駆動装置。
【請求項３】
前記光ディスクは複数のパーティションに区切られたテストエリアを有し、テスト済パーティション領域をｎ（ｎは整数）として、次の未使用パーティション領域ｎ＋１、ｎ＋２、・・・とするときに、
前記テストエリアのテスト済領域ｎで第１のテスト情報書込み制御を実行した後、前記テストエリアの未使用領域ｎ＋１で第２のテスト情報書込み制御を実行し、
前記第２のテスト情報書込み制御手段により記録された情報を読出して記録時の最適レーザダイオードの発光出力を決定することを特徴とする請求項１記載のレーザダイオード駆動装置。
【請求項４】
前記光ディスクは複数のパーティションに区切られたテストエリアを有し、テスト済パーティション領域をｎ（ｎは整数）として、次の未使用パーティション領域ｎ＋１、ｎ＋２、・・・とするときに、
前記テストエリアの未使用領域ｎ＋１の前半部分で第１のテスト情報書込み制御を実行した後、前記テストエリアの未使用領域ｎ＋１の後半部分で第２のテスト情報書込み制御を実行し、
前記第２のテスト情報書込み制御手段により記録された情報を読出して記録時の最適レーザダイオードの発光出力を決定することを特徴とする請求項１記載のレーザダイオード駆動装置。
【請求項５】
前記光ディスクは複数のパーティションに区切られたテストエリアを有し、テスト済パーティション領域をｎ（ｎは整数）として、次の未使用パーティション領域ｎ＋１、ｎ＋２、・・・とするときに、
前記テストエリアの未使用領域ｎ＋１の後半部分で第１のテスト情報書込み制御を実行した後、前記テストエリアの未使用領域ｎ＋１の前半部分で第２のテスト情報書込み制御を実行し、
前記第２のテスト情報書込み制御手段により記録された情報を読出して記録時の最適レーザダイオードの発光出力を決定することを特徴とする請求項１記載のレーザダイオード駆動装置。
【発明の詳細な説明】
【０００１】
【発明の属する技術分野】
本発明は光ディスクに対して情報の記録再生を行わせる情報記録再生装置のレーザダイオード駆動装置に関する。
【０００２】
【従来の技術】
追記型の光ディスクとしてＣＤ−Ｒがある。ＣＤ−Ｒへの情報の記録はディスクにレーザ光を照射させて行うが、正確に情報を記録させるために、情報を記録させる前に最適なレーザ光を求めるためのテストが行われる。
すなわち、ＣＤ−Ｒにはテストを行わせるためのテストエリアが設けられており、該テストエリアで１００回分のテストが可能となっている。
【０００３】
テストは、図６に示されるように、テスト済のパーティション（ｎ）の次のパーティション（ｎ＋１）を使用し、レーザダイオードより１５段階の出力でテスト情報の記録を行わせ、記録されたテスト情報を再生して最適レーザダイオードの出力を判別し、その後に行われる情報記録時のレーザダイオード出力を決定している。
【０００４】
【発明が解決しようとする課題】
レーザダイオードより出力される出力は温度により変化することから、前記レーザダイオードよりの出力はレーザダイオードに近接して設けられたフォトダイオードを使用して検出している。
【０００５】
しかしフォトダイオードによるレーザダイオードの出力の検出は照射された光が光ディスクで反射される反射光の量によって大きく変動する。
一方記録開始時にはフォカスサーボが動作し、レーザ光源より出射光は光ディスク面で非合焦状態より合焦状態となり反射光は大となり、図７に示されるように、フォトダイオード出力（レーザ出力）が設定値になるまでには時間を要する。
【０００６】
このため、図６で説明したパーティション（ｎ＋１）を使用してテスト情報を記録した前半部分は誤差が多く、このような誤差の多い部分で最適レーザダイオード出力が決定された場合は以後行われる情報の記録が正確に行えず、記録した情報を再生した時、多くの情報誤りが発生する。
【０００７】
本発明は情報が正確に記録できるようにした情報記録再生装置のレーザダイオード駆動装置を提供することを課題とする。
【０００８】
【課題を解決するための手段】
請求項１の発明においては、レーザダイオードの発光量をモニタし、モニタ値が指定値となるよう前記レーザダイオードを発光し、光ディスクへの情報の記録再生を行わせる情報記録再生装置のレーザダイオード駆動装置であって、
仮の基準値で前記レーザダイオードを発光して前記光ディスク面での合焦制御を行い、一定値となる発光出力でテスト情報を記録する第１のテスト情報書込み制御手段と、
前記第１のテスト情報書込み制御手段によりテスト情報を記録した後、前記レーザダイオードの発光出力を記録時の目標出力値を中心として段階的に変化させてテスト情報を記録する第２のテスト情報書込み制御手段を有し、
前記第２のテスト情報書込み制御手段により記録された情報を読出して記録時の最適レーザダイオードの発光出力を決定する。
【０００９】
請求項２の発明においては、前記光ディスクは複数のパーティションに区切られたテストエリアを有し、テスト済パーティション領域をｎ（ｎは整数）として、次の未使用パーティション領域ｎ＋１、ｎ＋２、・・・とするときに、
前記テストエリアの未使用領域ｎ＋１で第１のテスト情報書込み制御を実行した後、前記テストエリアの未使用領域ｎ＋２で第２のテスト情報書込み制御を実行し、
前記第２のテスト情報書込み制御手段により記録された情報を読出して記録時の最適レーザダイオードの発光出力を決定する。
【００１０】
請求項３の発明においては、前記光ディスクは複数のパーティションに区切られたテストエリアを有し、テスト済パーティション領域をｎ（ｎは整数）として、次の未使用パーティション領域ｎ＋１、ｎ＋２、・・・とするときに、
前記テストエリアのテスト済領域ｎで第１のテスト情報書込み制御を実行した後、前記テストエリアの未使用領域ｎ＋１で第２のテスト情報書込み制御を実行し、
前記第２のテスト情報書込み制御手段により記録された情報を読出して記録時の最適レーザダイオードの発光出力を決定する。
【００１１】
請求項４の発明においては、前記光ディスクは複数のパーティションに区切られたテストエリアを有し、テスト済パーティション領域をｎ（ｎは整数）として、次の未使用パーティション領域ｎ＋１、ｎ＋２、・・・とするときに、
前記テストエリアの未使用領域ｎ＋１の前半部分で第１のテスト情報書込み制御を実行した後、前記テストエリアの未使用領域ｎ＋１の後半部分で第２のテスト情報書込み制御を実行し、
前記第２のテスト情報書込み制御手段により記録された情報を読出して記録時の最適レーザダイオードの発光出力を決定する。
【００１２】
また、請求項５の発明においては、前記光ディスクは複数のパーティションに区切られたテストエリアを有し、テスト済パーティション領域をｎ（ｎは整数）として、次の未使用パーティション領域ｎ＋１、ｎ＋２、・・・とするときに、
前記テストエリアの未使用領域ｎ＋１の後半部分で第１のテスト情報書込み制御を実行した後、前記テストエリアの未使用領域ｎ＋１の前半部分で第２のテスト情報書込み制御を実行し、
前記第２のテスト情報書込み制御手段により記録された情報を読出して記録時の最適レーザダイオードの発光出力を決定する。
【００１３】
【発明の実施の形態】
本発明の実施の形態を図１〜図３を参照して説明する。図１は本発明の実施例の構成図、図２は同実施例の動作フローチャート、図３は同実施例のテストエリアに対する記録の説明図である。
【００１４】
図１において、１はレーザダイオード、２はレーザダイオード１を駆動するレーザ電源、３はレーザダイオード１に近接して設けられ、レーザダイオード１の出力をモニタするフォトダイオード、４はコンパレータ、５および８はアナログ／ディジタル変換器（Ａ／Ｄ）、６はディジタル／アナログ変換器（Ｄ／Ａ）、７は光ディスクに記録された情報を読取る受光部、９は基準値記録部、１０はテストパワ送出部、１１は最適パワー決定部、１２は制御部、１３〜１５はインタフェース（Ｉ／Ｏ）、１６は処理を行うプロセッサである。
【００１５】
レーザ電源２は、フォトダイオード３よりの出力とＩ／Ｏ１４を介して出力され、Ｄ／Ａ６でアナログ値に変換された基準値とをコンパレータ４で比較し、コンパレータ４の出力が０になるようレーザダイオード１に駆動電流を供給してレーザダイオード１を発光させる。
【００１６】
つぎに、図２を参照して、本発明の実施例の動作を説明する。
動作の開始は光ディスクに情報を記録される際に動作が開始される。なお同一光ディスクに対して記録再生動作が行われ、再度記録動作が行われる場合は削除される。
【００１７】
ステップＳ１では、図示しない情報記録再生装置は、光ディスクのテストエリアの未使用のパーティション（ｎ＋１）にレーザダイオード１およびフォトダイオード３が設けられている光ヘッドの位置付けを行う。
【００１８】
ステップＳ２では、制御部１２はステップＳ１と平行して、基準値９に記録されている光ディスクへの記録時のフォトダイオード３よりの出力の仮基準値（レーザ光源出力仮基準値）を読出してＩ／Ｏ１４を介してコンパレータ４に出力する。
【００１９】
レーザ電源２はコンパレータ４より出力に対応して駆動電流を制御してレーザダイオード１を発光し、図示しない光ディスクのテストエリアの未使用のパーティション（ｎ＋１）にテスト情報を記録する。
【００２０】
ステップＳ３では、図示しない情報記録再生装置は平行してフォカス制御が行われ、光ディスクのテストエリアのパーティション（ｎ＋１）には、図３に示されるように、レーザ光の合焦と共に一定値となるレーザ出力で記録が行われ、ステップＳ４に移って次の未使用のパーティション（ｎ＋２）に光ヘッドが位置付けされる。
【００２１】
ステップＳ５では、テストパワ送出部１０は、一定値となったフォトダイオード３の出力をＩ／Ｏ１３より読取り、記録時の目標とするレーザ出力値（フォトダイオード３の出力値）を算出し、算出された目標値を中心とし、所定値おきに１５段階のテストレーザ出力値を算出し、算出された１５段階のテスト値を順次Ｉ／Ｏ１４を介してコンパレータ４に出力する。
【００２２】
テスト値が順次送出されると、送出されたテスト値に対応して、図３のパーティション（ｎ＋２）に示されるレーザ出力値（フォトダイオード３の出力値）で光ディスクにテスト情報が記録される。
【００２３】
ステップＳ６では、制御部１２は、基準値記録部９に記録されている光ディスクより情報の読取るときのレーザ出力値を読出してＩ／Ｏ１６を介してコンパレータ４に出力し、情報記録再生装置にパーティション（ｎ＋２）にステップＳ５で記録した情報の読取を行わせる。
【００２４】
ステップＳ７では、最適パワー決定部１１は、情報記録再生装置が受光部７で読取ったテストエリアのパーティション（ｎ＋２）のＲＦ信号をＩ／Ｏ１５を介して取込み、ステップＳ８に移って記録時の最適レーザ出力値（フォトダイオード３の出力値）を決定する。
【００２５】
最適値の決定は、例えば１５段階のレーザ出力値で記録したＲＦ信号のエンベローブのピーク値Ｐとボトム値Ｂを検出し、
β＝（Ｐ−Ｂ）／（Ｐ＋Ｂ）
なる演算を行い、β≦０．０４となるＲＦ信号を選択し、選択されたＲＦ信号に対応するステップＳ５で送出したテスト値を光ディスクへの記録時の基準値として基準値記録部９に記録する。
【００２６】
ステップＳ９では、ステップＳ８での基準値の記録が終了すると情報記録再生装置は光ディスクの情報を記録する位置に光ヘッドを移動し、ステップＳ１０に移って、制御部１２はステップＳ８で基準値記録部９に記録した記録時の基準値を読出してＩ／Ｏ１４より出力し、記録動作が開始される。
【００２７】
なお実施例では図３で説明したようにテストエリアのテスト済パーティション（ｎ）に続く未テストのパーティション（ｎ＋１）に対して仮基準値安定化処理を実行し、パーティション（ｎ＋２）に対して最適基準値決定のための記録処理を行わせるようにしていたが、仮基準値安定化処理はテスト済のパーティション（ｎ）を使用して行い、最適基準値決定のための記録をパーティション（ｎ＋１）に対して行うようにしてもよい。
【００２８】
このようにすることによってテストエリアを有効に使用することができる。
また、仮基準値の安定化および最適基準値の決定を、図４に示されるように、未テストのパーティション（ｎ＋１）の前半部分（Ｔ0 〜Ｔ1 ）を使用して仮基準値の安定化を行わせ、後半部分（Ｔ1 〜Ｔ2 ）を使用して最適基準値の決定のための記録を行わせるようにしてもよい。
【００２９】
また、図５に示されるように、未テストのパーティション（ｎ＋１）の後半部分（Ｔ1 〜Ｔ2 ）を使用して仮基準値の安定化を行わせ、光ディスクが１回転して次にパーティション（ｎ＋１）に達したとき、パーティション（ｎ＋１）の前半部分（Ｔ0 〜Ｔ3 ）を使用して最適基準値の決定を行わせるようにしてもよい。
【００３０】
このように逆にすることによりテストエリアを構成しているプリグループにウォブリングによって形成されている基準時間信号を、未使用のパーティション（ｎ＋１）の前半部分より正確に読出すことができるため、最適基準値決定のための記録を正確な位置に記録させることができる。
【００３１】
【発明の効果】
レーザダイオードの発光量をモニタし、モニタ値が指定値となるよう前記レーザダイオードを発光し、光ディスクへの情報の記録再生を行わせる情報記録再生装置のレーザダイオード駆動装置であって、仮の基準値でレーザダイオードを発光して光ディスク面での合焦制御を行い、一定値となる発光出力でテスト情報を記録し、このテスト情報を記録した後、レーザダイオードの発光出力を記録時の目標出力値を中心として段階的に変化させてテスト情報を記録し、この録された情報を読出して記録時の最適レーザダイオードの発光出力を決定するようにしたので、光ディスクに対するレーザ光源出力の最適出力値を決定することができ、光ディスクへの情報の記録が正確に行うことができ、再生時の誤りを無くすことができる。
【図面の簡単な説明】
【図１】  本発明の実施例の構成図である。
【図２】  同実施例の動作フローチャートである。
【図３】  同実施例のテストエリアに対する記録の説明図である。
【図４】  他の実施例のテストエリアに対する記録の説明図である。
【図５】  他の実施例のテストエリアに対する記録の説明図である。
【図６】  従来の実施例のテストエリアに対する記録の説明図である。
【図７】  合焦時の時間に対するレーザ出力の説明図である。
【符号の説明】
１                レーザダイオード
２                レーザ電源
３                フォトダイオード
４                コンパレータ
５，８            アナログ／ディジタル変換器（Ａ／Ｄ）
６                ディジタル／アナログ変換器（Ｄ／Ａ）
７                受光部
９                基準値記録部
１０              テストパワ送出部
１１              最適パワー決定部
１２              制御部
１３，１４，１５  インタフェース（Ｉ／Ｏ）
１６              プロセッサ（ＣＰＵ）
【図１】
0003834165.tif 000002
【図２】
0003834165.tif 000003
【図３】
0003834165.tif 000004
【図４】
0003834165.tif 000005
【図５】
0003834165.tif 000006
【図６】
0003834165.tif 000007
【図７】
0003834165.tif 000008